(57)【要約】【課題】  調理鍋とケースを簡単に分離可能に構成する事を目的とするものである。【解決手段】  被調理物を収納して加熱する調理鍋１の外側面をケース３にて包囲すると共に、調理鍋の外底部に加熱コイル２２，２３，２４を装着し、かつケースの左右側面に連結した一対の回転軸４，４にて調理鍋を回転自在に枢支したものにおいて、調理鍋の開口縁に鍔部１０を一体的に形成し、この鍔部をケースの上端に載置した後、固定手段により鍋本体とケースとを固定して成る。【選択図】        図１
2005080678.tif 000002
【特許請求の範囲】
【請求項１】
被調理物を収納して加熱する調理鍋の外側面をケースにて包囲すると共に、上記調理鍋の外底部に加熱コイルを装着し、かつ上記ケースの左右側面に連結した一対の回転軸にて上記調理鍋を回転自在に枢支したものにおいて、上記調理鍋の開口縁に鍔部を一体的に形成し、この鍔部を上記ケースの上端に載置した後、固定手段により鍋本体とケースとを固定した事を特徴とする、業務用電磁誘導加熱調理器。
【請求項２】
上記調理鍋をアルミニウム材により形成すると共に、その外底部に誘電層を形成した事を特徴とする、上記請求項１に記載の業務用電磁誘導加熱調理器。
【請求項３】
上記固定手段を、上記調理鍋又はケースの少なくとも一方の上端対向面に形成したテーパ面と、このテーパ面の調理鍋とケース間に挿入する楔で構成した事を特徴とする、上記請求項１〜２に記載の業務用電磁誘導加熱調理器。
【請求項４】
上記テーパ面を、上記ケースの上端部を内側に向けて絞り加工することで形成した事を特徴とする、上記請求項３に記載の業務用電磁誘導加熱調理器。
【請求項５】
上記鍔部の上記ケースの上端が当接する部分に、この上端が係入する係入溝を一体形成した事を特徴とする、上記請求項１〜２に記載の業務用電磁誘導加熱調理器。
【請求項６】
上記係入溝にパッキンを装着して成る、上記請求項５に記載の業務用電磁誘導加熱調理器。
【発明の詳細な説明】
【技術分野】
【０００１】
本発明は、業務用の食材や給食用の食材を一度に大量に加熱調理を行う業務用電磁誘導加熱調理器に関する。
【背景技術】
【０００２】
直径が１メートル以上の調理鍋を用いて、コンビニエンスストア等で販売される食材や、学校給食等の食材を一度に大量に加熱調理する業務用の加熱調理器で、特に特許文献１に示される様に、調理鍋の外底部に誘導加熱用の加熱コイルを装着したものでは、調理鍋やケースを例えばステンレスのＳＵＳ４０３等の誘電材料で形成し、これらの接合部分を溶接により一体に連結して構成している。
【特許文献１】特開２００２−２３１４３０号公報
【発明の開示】
【発明が解決しようとする課題】
【０００３】
上記の場合、調理鍋とケースを溶接により一体化している為、何らかの理由によりどちらか一方を交換したい場合でも全体を交換する必要があり、維持費用が高くなるという問題がある。
【０００４】
そこで本発明は、調理鍋とケースを分離して構成することで、維持費用等の低減を計る事を目的とするものである。
【課題を解決するための手段】
【０００５】
本発明の請求項１の構成は、被調理物を収納して加熱する調理鍋の外側面をケースにて包囲すると共に、調理鍋の外底部に加熱コイルを装着し、かつケースの左右側面に連結した一対の回転軸にて調理鍋を回転自在に枢支したものにおいて、調理鍋の開口縁に鍔部を一体的に形成し、この鍔部をケースの上端に載置した後、固定手段により鍋本体とケースとを固定して成るものである。
【０００６】
本発明の請求項２の構成は、請求項１の構成において、調理鍋をアルミニウム材により形成すると共に、外底部に誘電層を形成した事を特徴とするものである。
【０００７】
本発明の請求項３の構成は、請求項１〜２の構成において、固定手段を、調理鍋又はケースの少なくとも一方の上端対向面に形成したテーパ面と、このテーパ面の調理鍋とケース間に挿入する楔で構成した事を特徴とするものである。
【０００８】
本発明の請求項４の構成は、請求項３の構成において、テーパ面を、ケースの上端部を内側に向けて絞り加工することで形成した事を特徴とするものである。
【０００９】
本発明の請求項５の構成は、請求項１〜２の構成において、鍔部のケースの上端が当接する部分に、この上端が係入する係入溝を一体形成した事を特徴とするものである。
【００１０】
本発明の請求項６の構成は、請求項５の構成において、係入溝にパッキンを装着した事を特徴とするものである。
【発明の効果】
【００１１】
本発明の請求項１に記載の構成により、固定手段の操作により調理鍋とケースとを分離することが出来、長時間の使用による損傷等、何らかの理由によりどちらか一方を交換したい場合には、比較的簡単に交換する事が出来るものである。
【００１２】
本発明の請求項２に記載の構成により、調理鍋とケースとを固定手段により分離可能に固定し、かつ調理鍋をアルミニウム材により形成すると共に、外底部に誘電層を形成したことで、調理鍋をステンレスで形成した場合に比較し、加熱開始時の温度むらの発生を防止し、調理の仕上がり性能を大幅に向上する事が出来るものである。
【００１３】
本発明の請求項３に記載の構成により、調理鍋又はケースの一方に形成したテーパ面と、このテーパ面と対向面との間に楔を挿入することで、比較的簡単な構成にて調理鍋とケースとを堅固に固定する事が出来るものである。
【００１４】
本発明の請求項４に記載の構成により、テーパ面をケースの上端面を内側に向けて絞り加工して形成したことで、部品を追加することなく、簡単な構成にてテーパ面を形成できると共に、ケースの機械的強度を向上する事が出来るものである。
【００１５】
本発明の請求項５に記載の構成により、調理鍋の鍔部に形成した係入溝とケース上端との当接により、比較的簡単な構成にて該部からの煮汁等の浸入を防止する事が出来るものである。
【００１６】
本発明の請求項６に記載の構成により、調理鍋の鍔部に形成した係入溝内にパッキンを装着することで、このパッキンにて煮汁等のケース内への浸入を確実を防止し、浸入による誘導加熱コイル等の電装部品の故障を防止する事が出来るものである。
【発明を実施するための最良の形態】
【００１７】
本発明の実施例を先ず図１に基づき説明すると、１は被調理物を入れて加熱する調理鍋で、アルミニウム材を鋳造により上面を開口２した腕状に形成していると共に、この調理鍋の外側面周囲を中空円筒状のケース３にて包囲し、かつこのケースの側面左右に連結した一対の回転軸４，４にて、上記調理鍋１とケース３とを台座５，６に回転自在に支持している。
【００１８】
又、上記台座６内には、上記回転軸４，４を回転駆動する駆動モータ７や、この駆動モータ等への通電を制御する制御回路８を収納配置し、かつ上部には操作ボックス９を立設している。
【００１９】
尚、上記実施例例では、調理鍋１をアルミニウム材で成形し、外底部に鉄等の誘電材料を溶射した図示しない誘電層を形成して誘導加熱が可能に構成しているが、ステンレスのＳＵＳ４０３系等の誘電材料や、ＳＵＳ３０４系の比較的加工し易い材料を用い、その外底部に鉄粉を溶射して電磁誘導加熱に適した構成にしたり、他の電磁誘導加熱に用いられるクラッド材等を用いても良い。
【００２０】
一方、上記調理鍋１の開口２縁には、外側に向けて鍔部１０を一体に突出形成し、この鍔部を上記ケース３の上端に載置することで、調理鍋１をケース３内に着脱可能に収納載置していると共に、図２及び図３にても示す様に上記鍔部１０の下方に複数の支持用リブ１１・・を所定の間隔を置いて一体成形し、かつこの支持用リブに支持金具１２をボルト１３により固定している。
【００２１】
更に、上記ケース３の上端部を内側に向けて折曲してテーパ面１４を一体に形成していると共に、このテーパ面と上記支持用リブ１１との間に金属製の楔１５を嵌入し、これらにより固定手段を構成している。
【００２２】
又、上記楔１５は、上記支持金具１２に螺入した押込みボルト１６の先端に止めビス１７により回転自在に係着し、押込みボルト１６の螺じ込みにより楔１５をテーパ面１４と支持用リブ１１との間に押し込み、これらの接触面の摩擦により調理鍋１をケース３に確実に固定している。
【００２３】
尚、上記実施例ではケース３にテーパ面１４を形成し、補強材を使用することなくケースの機械的強度も増加する様に構成しているが、これに限定されることなく、支持用リブ１１・・にテーパ面を形成しても良く、かつ楔１５を樹脂等の金属以外の材料で形成しても良い。
【００２４】
更に、上記鍔部１０の底面には、ケース３の上端に対向位置して該部が係入する係入溝１８を一体形成し、これらの係合により、煮汁等が鍔部１０を伝って落下しても、係入溝１８内への流入を防止することで、ケース３内への煮汁等の浸入を防止する様に構成している。尚、上記実施例ではケース３上端部の外側に更にシール剤１９を塗布し、このシール剤にて煮汁等の浸入を防止している。
【００２５】
上記実施例では、係入溝１８とシール剤１９により煮汁等の浸入を防止しているが、図４の（Ａ）にて示す様に上記係入溝１８内にパッキン２０を装着することで、このパッキンにて該部を確実にシールしても良く、かつ同じく（Ｂ）にて示す様に係入溝１８の外側に突起２１を一体に突設し、この突起にて煮汁等の浸入を防止しても良く、上記パッキン２０と突起２１とを組み合わせても良い。
【００２６】
一方、上記調理鍋１の外底部には、図１及び図３に示す様に例えば３個のグループに分割したリング状で誘導加熱用の加熱コイル２２，２３，２４を、上記調理鍋１の外底面との間に非磁性材料から成る断熱材２５を介して略同心状に装着していると共に、これら断熱材や上記加熱コイル２２，２３，２４は、アルミニウムやＳＵＳ３０４系の非磁性金属板から成る複数の固定バンド２６・・にて外底面に押し当てて固定している。
【００２７】
尚、上記固定バンド２６・・は、所定の幅寸法を有する帯状を成し、一端２７・・をＵ字状に折曲して上記調理鍋１の外底部の略中心に配置したリング状の固定リング２８に係止し、かつ他端を図５にても示す様に、上記支持用リブ１１・・とは位置をずらして形成した固定用リブ２９・・に固定ボルト３０により固定している。
【００２８】
又、上記ケース３の底面は底カバー４０により閉塞していると共に、この底カバーの内側には、上記加熱コイル２２，２３，２４等に送風してこれらを冷却する複数の冷却ファン４１・・を装着している。
【００２９】
而して、調理鍋１の組み立てに際しては、固定バンド２６・・により断熱材２４と加熱コイル２１，２２，２３を調理鍋１の外底部に装着した後、調理鍋１をケース３の上面よりケース内に収納し、その鍔部１０をケース３の上端に載せて載置する。
【００３０】
次いで、支持金具１２に押込みボルト１６を螺入した後、その先端に止めビス１７にて楔１５を係着し、その状態にて楔１５をケース３のテーパ面１４と支持用リブ１１・・の間に挿入し、ボルト１３・・にて支持金具を支持用リブ１１・・に固定する。
【００３１】
そして更に、押込みボルト１６を螺じ込み、楔１５の先端をテーパ面１４と支持用リブ１１・・の間に確実に押し込むことで、調理鍋１をケース３に確実に固定する。
【００３２】
一方、何らかの原因により調理鍋１又はケース３が損傷した等により、これらを交換する場合には、押込みボルト１６を緩めて楔１５をテーパ面１４と支持用リブ１１・・間より引き出した後、ボルト１３・・を抜いて支持金具１２を支持用リブ１１から取り外すことで、比較的簡単に調理鍋１をケース３より取り出すことが可能となる。
【００３３】
尚、テーパ面１４や楔１５の断面形状、楔の取付け構造については上記実施例に限定されるものではなく、例えば楔１５のテーパ面及び支持用リブ１１・・との接触面に接触抵抗を増加する溝を形成しても良い。
【図面の簡単な説明】
【００３４】
【図１】本発明による実施例を示す側面縦断面図である。
【図２】同じく要部の拡大による側面縦断面図である。
【図３】同じく要部の底面図である。
【図４】本発明の他の実施例を示す要部の側面縦断面図である。
【図５】本発明による実施例を示す要部の拡大による側面縦断面図である。
【符号の説明】
【００３５】
１    調理鍋
２    開口
３    ケース
４    回転軸
１０  鍔部
１４  テーパ面（固定手段）
１５  楔（固定手段）
１８  係入溝
２０  パッキン
２２  加熱コイル
２３  加熱コイル
２４  加熱コイル
【図１】
2005080678.tif 000003
【図２】
2005080678.tif 000004
【図３】
2005080678.tif 000005
【図４】
2005080678.tif 000006
【図５】
2005080678.tif 000007